(57)【要約】  ブロードキャスト信号を受信し、それに依拠する１つまたは複数の装置によって誤っていると判定されるブロードキャスト信号内の電力制御情報を訂正するためのフィードバックメカニズムが提供される。誤ったブロードキャスト情報を受信した装置は、情報に対する訂正を決定し、ブロードキャスト情報のソースに推奨を提供することができる。ソースは、１つまたは複数の装置からの推奨に基づいて、ブロードキャスト情報を変更するかどうかを選択的に決定することができる。ブロードキャスト情報が変更された場合、ブロードキャスト情報を受信するその後の装置に、変更された情報が提供される。さらに変更が必要な場合、その後の装置は、さらに推奨される変更を提供することができる。
2010532646.tif 000002
【特許請求の範囲】
【請求項１】
ブロードキャスト信号で送信された電力制御情報の選択的な調整を容易にする方法であって、
アクセスポイントからブロードキャスト信号を受信することであって、該ブロードキャスト信号が電力制御情報を含むことと、
前記ブロードキャストされた電力制御情報に対する訂正が推奨されるかどうかを確かめることと、
前記推奨された訂正を前記アクセスポイントに伝えることと
を備える方法。
【請求項２】
前記推奨された訂正を前記アクセスポイントに伝えることがフィードバック信号として提供される請求項１に記載の方法。
【請求項３】
訂正が推奨されるかどうかを確かめることが、アクセスポイント送信電力と装置受信電力との間の差を比較し、該差を電力損失として割り当てることをさらに備える請求項１に記載の方法。
【請求項４】
前記電力損失情報を次のブロードキャスト信号に含める旨の推奨として、前記電力損失情報を前記アクセスポイントに送信することをさらに備える請求項３に記載の方法。
【請求項５】
前記ブロードキャスト信号で受信された前記電力制御情報が変更を必要としないかどうかを前記アクセスポイントに通知することをさらに備える請求項１に記載の方法。
【請求項６】
前記ブロードキャスト信号に含まれる要求に対して応答することをさらに備え、前記要求が前記ブロードキャスト信号に含まれる前記電力制御情報の少なくとも一部分が正しいかどうかを検証することを含む請求項１に記載の方法。
【請求項７】
前記推奨された訂正が電力オフセット値である請求項１に記載の方法。
【請求項８】
ブロードキャスト信号に含まれる電力制御情報を評価することと、前記情報に少なくとも１つの誤りがあるかどうかを判定することと、前記少なくとも１つの誤りをフィードバック信号でアクセスポイントに通知することとに関連する命令を保持するメモリと、
前記メモリに結合され、前記メモリに保持される前記命令を実行するように構成されたプロセッサと
を備える無線通信装置。
【請求項９】
前記メモリが、アクセスポイント送信電力を装置受信電力と比較し、送信電力を電力オフセット値とアクセスポイント受信電力目標値との合計に設定することによって、前記オフセット値を割り出すための命令をさらに保持する請求項８に記載の無線通信装置。
【請求項１０】
前記メモリが、前記ブロードキャスト信号に含まれる前記電力制御情報が正しいかどうかを前記アクセスポイントに通知するための命令をさらに保持する請求項８に記載の無線通信装置。
【請求項１１】
前記メモリが、前記アクセスポイントが次のブロードキャスト信号で前記誤りを訂正することを推奨するための命令をさらに保持する請求項８に記載の無線通信装置。
【請求項１２】
前記誤りが電力オフセット値である請求項８に記載の無線通信装置。
【請求項１３】
前記メモリが、次のブロードキャスト信号を調べ、前記次のブロードキャスト信号の正確さに関する情報を提供するための命令をさらに保持する請求項８に記載の無線通信装置。
【請求項１４】
無線通信環境内において、ブロードキャスト情報の選択的な変更を可能にする無線通信装置であって、
アクセスポイントからの信号に含まれる誤った情報を識別するための手段と、
前記識別された誤った情報のための推奨される変更を決定するための手段と、
前記推奨される変更をフィードバック信号で前記アクセスポイントに送信するための手段と
を備える無線通信装置。
【請求項１５】
前記アクセスポイントからの次の信号を評価するための手段と、
前記次の信号が正しいか、または誤った情報を含むかを前記アクセスポイントに通知するための手段と
をさらに備える請求項１４に記載の無線通信装置。
【請求項１６】
前記信号に含まれる情報に一部分基づいて、電力オフセット値を割り出すための手段と、
前記アクセスポイントに前記電力オフセット値を伝えるための手段と
をさらに備える請求項１４に記載の無線通信装置。
【請求項１７】
前記アクセスポイントから、前記信号に含まれる前記情報の少なくとも一部分を検証する旨の要求を受信するための手段と、
前記アクセスポイントに前記検証の結果を提供するための手段と
をさらに備える請求項１４に記載の無線通信装置。
【請求項１８】
アクセスポイントからの信号の正しさを評価し、
前記信号に対する少なくとも１つの推奨される変更を決定し、
前記少なくとも１つの推奨される変更を、フィードバック信号で前記アクセスポイントに送信する
ための機械実行可能命令を格納する機械可読媒体。
【請求項１９】
前記機械実行可能命令が、
前記アクセスポイントのための受信電力目標値を受信することと、
前記信号が受信された電力を測定することと、
前記アクセスポイント受信電力目標値と前記信号が受信された前記電力との間の差を割り出すことと、
前記割り出された差のポイントを、電力オフセット値として識別することと
をさらに備える請求項１８に記載の機械可読媒体。
【請求項２０】
前記機械実行可能命令が、前記電力オフセット値が前記アクセスポイントからの次の信号に含まれることを推奨することをさらに備える請求項１９に記載の機械可読媒体。
【請求項２１】
前記機械実行可能命令が、
前記信号に含まれる前記情報が正しいことを検証することと、
前記情報が正しいことを示す通知を前記アクセスポイントに送信することと
をさらに備える請求項１８に記載の機械可読媒体。
【請求項２２】
無線通信システムにおいて、
アクセスポイントからの信号に含まれる不正確な情報を識別し、
前記不正確な情報を訂正する変更を決定し、該決定された変更が前記信号に含まれる情報に少なくとも一部分基づくことができ、
前記アクセスポイントにフィードバック信号を提供し、前記フィードバック信号が前記決定された変更を含む
ように構成されたプロセッサ
を備える装置。
【請求項２３】
ブロードキャスト信号に含まれる情報の選択的な調整を容易にする方法であって、
電力制御情報を含む信号をブロードキャストすることであって、前記信号が、地理的エリア内の少なくとも１つの装置にブロードキャストされることと、
前記少なくとも１つの装置から応答信号を受信することであって、前記応答信号が、前記ブロードキャスト信号に含まれる前記電力制御情報に対する少なくとも１つの変更を含むことと、
前記少なくとも１つの変更を前記ブロードキャスト信号に含まれる前記電力制御情報に選択的に適用することと
を備える方法。
【請求項２４】
前記応答信号が電力オフセット情報を含む請求項２３に記載の方法。
【請求項２５】
電力制御情報を含む信号をブロードキャストすることが、前記情報の少なくとも一部分が誤っている場合、前記情報に対する少なくとも１つの変更を要求することをさらに備える請求項２３に記載の方法。
【請求項２６】
前記少なくとも１つの装置からフィードバックを定期的に受信することをさらに備える請求項２３に記載の方法。
【請求項２７】
前記少なくとも１つの装置からフィードバックを連続的に受信することをさらに備える請求項２３に記載の方法。
【請求項２８】
ブロードキャスト情報が、アクセスポイント送信電力、アクセスポイント受信電力目標値、パス損失、または電力オフセットのうちの少なくとも１つ、あるいはその組合せに関連する請求項２３に記載の方法。
【請求項２９】
前記少なくとも１つの変更を含む変更された信号をブロードキャストすることをさらに備える請求項２３に記載の方法。
【請求項３０】
情報を含む信号をブロードキャストすることが、前記ブロードキャスト信号に含まれる前記情報が正しいかどうかを判定するための確認を要求することをさらに備える請求項２３に記載の方法。
【請求項３１】
前記少なくとも１つの変更を、前記ブロードキャスト信号に含まれる前記情報に選択的に適用することが、少なくとも第２の装置に、前記少なくとも１つの変更の裏付けを要求することをさらに備える請求項２３に記載の方法。
【請求項３２】
第２の装置から少なくとも第２の応答信号を受信することであって、前記少なくとも第２の応答信号が、前記少なくとも１つの変更に似た変更を含むことと、
前記変更の平均を前記ブロードキャスト信号に含まれる前記情報に適用することと
をさらに備える請求項２３に記載の方法。
【請求項３３】
前記少なくとも１つの変更を前記ブロードキャスト信号に含まれる前記情報に選択的に適用することが、前記少なくとも１つの変更を適用する前に、ある信頼度に到達するまで待つことをさらに備える請求項２３に記載の方法。
【請求項３４】
前記信頼度が、一部分、前記装置の信頼性に関して、履歴情報に基づいて導出される請求項３３に記載の方法。
【請求項３５】
ブロードキャスト信号に含めるための情報を特定することと、前記ブロードキャスト信号に含まれる情報を更新するための装置の推奨を受信することと、前記受信された装置の推奨に一部分基づいて、前記ブロードキャスト信号情報を選択的に変更することとに関連する命令を保持するメモリと、
前記メモリに結合され、前記メモリに保持される前記命令を実行するように構成されたプロセッサと
を備える無線通信装置。
【請求項３６】
前記ブロードキャスト信号に含まれる前記情報が、アクセスポイント送信電力、アクセスポイント受信電力目標値、パス損失、電力オフセットのうちの少なくとも１つ、あるいはその組合せに関連する請求項３５に記載の無線通信装置。
【請求項３７】
前記メモリが、前記推奨を提供した前記装置に関連付けられている信頼度を特定するための命令をさらに保持する請求項３５に記載の無線通信装置。
【請求項３８】
前記メモリが、少なくとも第２の装置に、前記提供された推奨の裏付けを要求するための命令をさらに保持する請求項３５に記載の無線通信装置。
【請求項３９】
前記メモリが、前記ブロードキャスト信号に含まれる前記情報の確認を要求するための命令をさらに保持する請求項３５に記載の無線通信装置。
【請求項４０】
前記メモリが、前記ブロードキャスト信号内の前記情報を選択的に変更する前に、複数の装置から受信された値を平均するための命令をさらに保持する請求項３５に記載の無線通信装置。
【請求項４１】
前記メモリが、前記ブロードキャスト信号を変更した後、適切な変更が行われたことを検証するために、前記推奨を提供した前記装置からフィードバックを受信するための命令をさらに保持する請求項３５に記載の無線通信装置。
【請求項４２】
無線環境において、初期アクセス位相の長さを軽減する無線通信装置であって、
複数の装置に送信されたブロードキャスト信号に含めるべき情報を識別するための手段と、
前記ブロードキャスト信号に応答して、前記複数の装置のうちの少なくとも１つから少なくとも１つの応答信号を受信するための手段と、
前記少なくとも１つの応答信号に一部分基づいて、前記ブロードキャスト信号に含まれる前記情報の少なくとも一部分を変更するための手段と
を備える無線通信装置。
【請求項４３】
前記複数の装置のうちの前記少なくとも１つが前記ブロードキャスト信号に含まれる前記情報の正確さを検証することを要求するための手段をさらに備える請求項４２に記載の無線通信装置。
【請求項４４】
前記応答信号を提供した前記複数の装置のうちの前記少なくとも１つに関連付けられている特徴を分析するための手段をさらに備える請求項４２に記載の無線通信装置。
【請求項４５】
前記ブロードキャスト信号情報が変更される前に、前記複数の装置のうちの前記少なくとも１つに関連付けられている信頼度を分析するための手段をさらに備える請求項４２に記載の無線通信装置。
【請求項４６】
複数の応答信号を集約するための手段をさらに備える請求項４２に記載の無線通信装置。
【請求項４７】
変更されたブロードキャスト信号の正確さの検証を要求するための手段をさらに備える請求項４２に記載の無線通信装置。
【請求項４８】
通信ネットワークにアクセスするために、少なくとも１つの装置が依拠する信号を送信し、
前記少なくとも１つの装置からのフィードバックを評価して、前記送信された信号に含まれる誤った情報を識別し、
前記フィードバック評価に基づいて、前記送信された信号を適応させる
ための機械実行可能命令を格納する機械可読媒体。
【請求項４９】
前記機械実行可能命令が、前記フィードバックまたは前記少なくとも１つの装置に関連付けられている信頼度を特定することをさらに備える請求項４８に記載の機械可読媒体。
【請求項５０】
前記実行可能命令が、前記ブロードキャスト信号に含めるために、アクセスポイント送信電力、アクセスポイント受信電力目標値、パス損失、または電力オフセットのうちの少なくとも１つ、あるいはその組合せを識別することをさらに備える請求項４８に記載の機械可読媒体。
【請求項５１】
前記機械実行可能命令が、前記送信された信号を適応させる前に、少なくとも第２の装置からのフィードバックを前記少なくとも１つの装置からの前記フィードバックと集約することをさらに備える請求項４８に記載の機械可読媒体。
【請求項５２】
前記機械実行可能命令が、少なくとも第２の装置に前記フィードバックの検証を要求することをさらに備える請求項４８に記載の機械可読媒体。
【請求項５３】
前記機械実行可能命令が、複数の装置に前記適応された信号を送信することをさらに備える請求項４８に記載の機械可読媒体。
【請求項５４】
無線通信システムにおいて、
ブロードキャスト信号に含めるべき情報を識別することであって、前記ブロードキャスト信号が複数の装置に送信され、
前記ブロードキャスト信号内の前記情報に対する１つまたは複数の変更を評価することであって、前記１つまたは複数の変更が前記複数の装置の一部から受信され、
受信された前記１つまたは複数の変更に基づいて、次のブロードキャスト信号に含まれる前記情報を変更する
ように構成されたプロセッサ
を備える装置。
【発明の詳細な説明】
【技術分野】
【０００１】
以下の説明は、一般に無線通信に関し、より詳細には、無線通信環境におけるオープンループ電力制御に関する。
【背景技術】
【０００２】
無線通信システムは、様々なタイプの通信を提供するために広範に展開されており、世界中の多くの人々が通信する一般的な手段になっている。一般の無線通信システムまたはネットワークは、複数のユーザアクセスを１つまたは複数の共有リソースに提供することができる。例えば、システムは、周波数分割多重方式（ＦＤＭ）、時分割多重方式（ＴＤＭ）、符号分割多重方式（ＣＤＭ）、直交周波数分割多重方式（ＯＦＤＭ）など、様々な多元接続技術を使用し得る。無線通信装置は、携帯性および便利さの向上を含めて、消費者のニーズを満たすために、より小さく、より強力になっている。ユーザは、セルラー式電話、携帯情報端末（ＰＤＡ）など、無線通信装置の多くの使い方を見出しており、こうしたユーザは、信頼できるサービスおよびカバレージエリアの拡大を要求している。
【０００３】
無線通信ネットワークは、ユーザが（建物の中または外など）どこにいるかにかかわらず、またユーザがじっとしているか移動しているか（例えば車内、歩行中など）にかかわらず、一般に、情報を伝達するために使用される。一般に、無線通信ネットワークは、基地局またはアクセスポイントと通信する移動体装置を介して確立される。アクセスポイントは、地理的領域またはセルをカバーし、移動体装置は、操作されると、これらの地理的セルの中に入ったり、そこから出たりし得る。連続した通信を達成するために、移動体装置に対して、それが入ったセルのリソースが割り当てられ、それが出たセルのリソースの割当てが解除される。
【０００４】
連続したカバレージを実現するために、ユーザが場所を変えると、サービスを損失することがないように、ネットワークに関連付けられているアクセスポイントが地理的に配置されている。このように、移動体装置を、第１の基地局から第２の基地局に「ハンドオフ」することができる。言い換えれば、移動局は、第１の基地局に関連付けられている地理的領域にいる間、こうした基地局によってサービスが提供される。移動体装置は、第２の基地局に関連付けられている領域に移されるとき、第１の基地局から第２の基地局にハンドオフされる。理想的には、ハンドオフは、データ損失、サービスの損失などを伴わずに行われる。しかし、移動体装置が基地局との通信を確立するのに時間がかかりすぎる場合、呼が失われるか、通信が中断される場合がある。さらに、基地局との通信が不十分なことによって、近くの装置への干渉がもたらされ得る。
【発明の概要】
【０００５】
以下は、こうした態様を基本的に理解できるようにするために、１つまたは複数の態様の簡単な要約を示す。この要約は、企図されているすべての態様の広範な概要ではなく、また、すべての態様の鍵となる要素または重要な要素を識別するためのものではなく、任意のまたはすべての態様の範囲を画定するためのものでもない。単に、後述するより詳細な説明の前置きとして、１つまたは複数の態様の一部の概念を簡略化した形で提示するためのものである。
【０００６】
１つまたは複数の例、およびその対応する開示によれば、その後の同報通信がより正確な情報を含むように、フィードバックメカニズムを介したブロードキャスト情報の自動訂正を容易にすることに関連して、様々な態様が記載されている。ブロードキャスト信号に含まれる情報は、装置が基地局またはその装置の付近の他の装置と通信するのに必要な情報に関連し得る。したがって、ブロードキャスト情報は、アクセスポイント送信電力、アクセスポイント受信電力目標値（access point receive power target）、電力損失、および他の情報を含み得る。ブロードキャスト情報が誤っていると判定された場合、アクセスポイント（または情報をブロードキャストした他の装置）は、推奨される変更を受信し、こうした変更を、次のブロードキャスト信号に含まれる情報に、選択的に適用することができる。
【０００７】
別の態様は、ブロードキャスト信号で送信された電力制御情報の選択的な調整を容易にする方法に関する。この方法は、アクセスポイントから、電力制御情報を含むブロードキャスト信号を受信することと、ブロードキャストされた電力制御情報に対する訂正が推奨されるかどうかを確かめることとを含み得る。推奨された訂正は、アクセスポイントに伝えることができる。
【０００８】
別の態様は、メモリおよびプロセッサを含む無線通信装置に関する。メモリは、ブロードキャスト信号に含まれる電力制御情報を評価することと、情報に少なくとも１つの誤りがあるかどうかを判定することと、少なくとも１つの誤りをフィードバック信号でアクセスポイントに通知することとに関連する命令を保持することができる。プロセッサは、メモリに結合され、メモリに保持された命令を実行するように構成され得る。
【０００９】
さらに別の態様は、無線通信環境内において、ブロードキャスト情報の選択的な変更を可能にする無線通信装置に関する。この装置は、アクセスポイントからの信号に含まれる誤った情報を識別するための手段と、識別された誤った情報についての推奨される変更を決定するための手段とを含み得る。また、装置には、推奨される変更をフィードバック信号でアクセスポイントに送信するための手段も含まれ得る。
【００１０】
さらに別の態様は、アクセスポイントからの信号の正しさを評価し、信号に対する少なくとも１つの推奨される変更を決定するための機械実行可能命令を格納する機械可読媒体に関する。こうした命令は、少なくとも１つの推奨される変更を、フィードバック信号でアクセスポイントに送信することも含み得る。
【００１１】
さらに別の態様は、プロセッサを含む装置に関し、この装置は、無線通信システム内に存在する。プロセッサは、アクセスポイントからの信号に含まれる不正確な情報を識別するように構成され得る。さらに、プロセッサは、不正確な情報を訂正する変更を決定し、決定された変更を含むフィードバック信号をアクセスポイントに提供するように構成され得る。決定された変更は、信号に含まれる情報に少なくとも一部分基づき得る。
【００１２】
さらに別の態様は、ブロードキャスト信号に含まれる情報の選択的な調整を容易にする方法に関する。この方法は、電力制御情報を含む信号をブロードキャストすることを含み得る。この信号は、地理的エリア内の少なくとも１つの装置にブロードキャストすることができる。この方法は、さらに、少なくとも１つの装置から、ブロードキャスト信号に含まれる電力制御情報に対する少なくとも１つの変更を含む応答信号を受信し、ブロードキャスト信号に含まれる電力制御情報に対する少なくとも１つの変更を選択的に適用することを含み得る。
【００１３】
さらに別の態様は、メモリおよびプロセッサを含む無線通信装置に関する。メモリは、ブロードキャスト信号に含めるための情報を特定することと、ブロードキャスト信号に含まれる情報を更新するための装置の推奨を受信することと、受信された装置の推奨に一部分基づいて、ブロードキャスト信号情報を選択的に変更することとに関連する命令を保持することができる。プロセッサは、メモリに結合され、メモリに保持された命令を実行するように構成され得る。
【００１４】
別の態様は、無線環境において、初期アクセス位相（initial access phase）の長さを軽減する無線通信装置に関する。この装置は、複数の装置に送信されるブロードキャスト信号に含めるための情報を識別するための手段と、ブロードキャスト信号に応答して、複数の装置のうちの少なくとも１つから少なくとも１つの応答信号を受信するための手段とを含み得る。また、この装置には、少なくとも１つの応答信号に一部分基づいてブロードキャスト信号に含まれる情報の少なくとも一部を変更するための手段も含まれ得る。
【００１５】
さらに別の態様は、通信ネットワークにアクセスするために少なくとも１つの装置が依拠する信号を送信し、送信された信号に含まれる誤った情報を識別するために、少なくとも１つの装置からのフィードバックを評価するための機械実行可能命令を格納した機械可読媒体に関し得る。こうした命令は、フィードバック評価に基づいて、送信された信号を適応させることにも関する。
【００１６】
さらに別の態様は、無線通信システムにおける装置に関する。この装置は、複数の装置に送信されるブロードキャスト信号に含めるための情報を識別するように構成され得るプロセッサを含み得る。このプロセッサは、複数の装置のうちの一部から受信される、ブロードキャスト信号内の情報に対する１つまたは複数の変更を評価し、受信された１つまたは複数の変更に基づいて、次のブロードキャスト信号に含まれる情報を変更するようにさらに構成することもできる。
【００１７】
上記および関連の目的を達成するために、１つまたは複数の例は、以下で十分に説明され、特に特許請求の範囲に示されている特徴を備える。以下の説明および添付の図面は、１つまたは複数の例のいくつかの態様例を詳しく記載している。しかし、これらの態様は、様々な例の原理が使用され得る様々な方法のほんの数例を示しているにすぎず、記載された例は、こうしたすべての態様およびその均等物を含むものとする。
【００１８】
上記および関連の目的を達成するために、１つまたは複数の例は、以下で十分に説明され、特に特許請求の範囲に示されている特徴を備える。以下の説明および添付の図面は、１つまたは複数の例のいくつかの態様例を詳しく記載している。しかし、これらの態様は、様々な例の原理が使用され得る様々な方法のほんの数例を示しているにすぎず、記載された例は、こうしたすべての態様およびその均等物を含むものとする。
【図面の簡単な説明】
【００１９】
【図１】本明細書に記載された様々な態様による無線通信システムを示す図。
【図２】無線通信環境においてブロードキャスト情報を選択的に更新するシステム例を示す図。
【図３】無線通信環境においてその後の送信のためにブロードキャスト情報の訂正を可能にするシステム例を示す図。
【図４】フィードバックメカニズムを介したブロードキャスト情報の自動訂正を容易にする通信ネットワーク例を示す図。
【図５】無線通信環境内において、訂正された情報のブロードキャストを容易にする方法例を示す図。
【図６】無線通信環境内において、情報の変更を選択的に調整し、報告することを容易にする方法例を示す図。
【図７】複数のセルを含む様々な態様に従って実施される通信システム例を示す図。
【図８】様々な態様による基地局例を示す図。
【図９】本明細書に記載された様々な態様に従って実施される無線端末例（例えば、無線装置、エンドノードなど）を示す図。
【図１０】無線通信環境内において、ブロードキャスト情報の選択的な変更を可能にするシステム例を示す図。
【図１１】無線環境において初期アクセス位相の長さを軽減することができるシステム例を示す図。
【発明を実施するための形態】
【００２０】
次に、図面を参照して様々な例について説明する。全体を通して、同様の参照番号を使用して同様の要素を指す。以下の説明では、説明上、１つまたは複数の例を完全に理解できるようにするために多数の特定の詳細を記載している。しかし、これらの特定の詳細無しにこうした例を実施できることは明らかであろう。他の例では、１つまたは複数の例を説明しやすくするために、よく知られている構造および装置をブロック図の形式で示している。
【００２１】
本出願で使用する場合、「構成要素」、「モジュール」、「システム」などの用語は、ハードウェア、ファームウェア、ハードウェアとソフトウェアとの組合せ、ソフトウェア、または実行中のソフトウェアのいずれかのコンピュータ関連のエンティティを指すものとする。例えば、構成要素は、それだけには限定されないが、プロセッサ上で動作するプロセス、プロセッサ、オブジェクト、実行可能ファイル、実行スレッド、プログラム、および／またはコンピュータとすることができる。例として、コンピューティング装置上で稼働するアプリケーションおよびコンピューティング装置はいずれも構成要素とすることができる。１つまたは複数の構成要素がプロセスおよび／または実行スレッド内に存在する可能性があり、１つの構成要素を１つのコンピュータ上に配置する、および／または２つ以上のコンピュータの間に分散することができる。さらに、これらの構成要素は、様々なデータ構造を格納している様々なコンピュータ可読媒体から実行することができる。構成要素は、（例えばローカルシステム、分散システムにおいて別の構成要素と対話する、および／またはインターネットなどのネットワークを介して信号によって他のシステムと対話する１つの構成要素からのデータなど）例えば１つまたは複数のデータパケットを有する信号によるなど、ローカルおよび／またはリモートのプロセスによって通信することができる。
【００２２】
さらに、本明細書には、無線端末との関連で、様々な態様が記載されている。無線端末は、システム、加入者ユニット、加入者局、移動局、移動体、移動体装置、遠隔局、遠隔端末、アクセス端末、ユーザ端末、端末、無線通信装置、ユーザエージェント、ユーザ装置、またはユーザ機器（ＵＥ）と呼ばれることもあり得る。無線端末は、セルラー式電話、コードレス電話、スマートフォン、セッション開始プロトコル（Session Initiation Protocol：ＳＩＰ）電話、無線ローカルループ（ＷＬＬ）局、携帯情報端末（ＰＤＡ）、ラップトップ、ハンドヘルド通信装置、ハンドヘルドコンピューティング装置、コンピューティング装置、衛星無線、全地球測位システム、無線モデムに接続されている処理装置、および／または通信に適した他の装置とすることができる。さらに、本明細書には、基地局との関連で、様々な態様が記載されている。基地局は、無線端末との通信に使用することができ、アクセスポイント、Ｎｏｄｅ  Ｂ、または他の何らかの用語として呼ばれることもあり得る。
【００２３】
さらに、本明細書に記載した様々な態様または特徴は、標準プログラミングおよび／または工学技術を使用して、方法、装置、または製品として実装することができる。「製品」という用語は、本明細書で使用される場合、任意のコンピュータ可読装置、キャリア、または媒体からアクセス可能なコンピュータプログラムを含むものとする。例えば、コンピュータ可読媒体には、それだけには限定されないが、磁気記憶装置（例えば、ハードディスク、フロッピー（登録商標）ディスク、磁気ストライプなど）、光ディスク（例えば、コンパクトディスク（ＣＤ）、ディジタル多用途ディスク（ＤＶＤ）など）、スマートカード、およびフラッシュメモリ装置（例えば、ＥＰＲＯＭ、カード、スティック、キードライブなど）などがあり得る。さらに、本明細書に記載される様々な記憶媒体は、情報を格納するための１つまたは複数の装置および／または他の機械可読媒体を表すことができる。「機械可読媒体」という用語は、それだけには限定されないが、無線チャネル、ならびに命令および／またはデータを格納し、含み、かつ／または運ぶことができる他の様々な媒体を含み得る。
【００２４】
次に図１を参照すると、本明細書で開示された様々な態様による無線通信システムまたはマルチユーザ無線環境１００が示されている。システム１００は、１つまたは複数のセクタにおいて、無線通信信号の受信、送信、反復などを互いに、および／または１つまたは複数の移動体装置１０４との間で行う１つまたは複数の基地局１０２（例えば、アクセスポイント）を備え得る。各基地局１０２は、信号の送受信に関連する複数の構成要素（例えば、プロセッサ、変調器、多重装置、復調器、多重分離装置、アンテナなど）をそれぞれ備え得る送信機チェーンおよび受信機チェーンを備え得ることを、当業者であれば理解されよう。基地局１０２は、順方向リンク（ダウンリンク）を介して移動体装置１０４に情報を送信し、逆方向リンク（アップリンク）を介して移動体装置１０４から情報を受信することができる。基地局１０２は、移動体装置１０４が基地局１０２を識別し、それと通信することができるようにする情報を含むブロードキャスト信号を送信することができる。ブロードキャスト信号は、アクセスポイントパイロットトーンおよび／または電力レベル情報を含めて、様々な情報を含み得る。
【００２５】
システム１００によって示されるマルチユーザ無線ネットワークにおいて、移動体装置１０４は、他の移動体装置１０４にもたらされる干渉量を軽減するために、その送信電力を公称レベルに制限しなければならない。しかし、ほんのわずかの電力しか使用しない送信では、移動体装置１０４は、基地局１０２に聞き取ってもらえないという危険にさらされる。したがって、過度の送信電力は、その媒体を共有する他の移動体装置に、望まれていない干渉をもたらし、一方、小さすぎる電力は、通信障害をもたらし得る。干渉の軽減を提供するために使用され得る手法は、基地局１０２が、個々の移動体装置１０４からの受信電力を監視し、その送信電力を所望のレベルに調整するよう移動体装置１０４に通知するクローズドループ電力制御を介する。クローズドループ電力制御が適切に動作するには、移動体装置１０４が信号を送信していなければならない。したがって、この手法は、移動体装置１０４がまだ送信を開始していない初期アクセス位相中には使用できない場合がある。
【００２６】
初期アクセス位相において移動体装置の電力を制御するための手順は、移動体装置１０４が、受信信号の電力に基づいて、その目標送信電力を推定するオープンループ電力制御を介するものとすることができる。これは、順方向リンク損失および逆方向リンク損失が実質的に同じであること、および移動体装置の送信電力と受信電力との間の差が一定のオフセットであることを仮定することができる。このオフセットは、オープンループ電力オフセット（ＯＬＰＯ）と呼ばれ得る。ＯＬＰＯの推定は、移動体装置１０４によって計算することができ、または、基地局１０２によって計算され、移動体装置１０４に伝えることができる。移動体装置１０４は、ＯＬＰＯ推定値を測定された受信電力に追加して、初期送信電力（例えば、最終的なオフセット値）を取得することができる。
【００２７】
システム１００において未知のものおよび変化がいくつかあることにより、推定が不正確である可能性がある。このことによって、移動体装置の送信電力は、所望のレベルを超える（例えば、過度の干渉をもたらす）、または下回る（例えば、アクセス接続の失敗など）可能性がある。いずれの状況でも、移動体装置１０４は、移動体装置１０４の送信の成功の肯定応答が基地局１０２から受信されるまで、その電力を徐々に盲目的に増加および／または低減させることになる。電力検索のこの余分のステップは、初期アクセス位相を長引かせる可能性があり、それによって、通信信号の損失、または他の問題がもたらされ得る。
【００２８】
開示された態様によれば、基地局１０２との通信を開始するその後の移動体装置１０４について、余分のステップを軽減することができる。例えば、アクセスが成功すると、移動体装置１０４は、その測定された最終的なオフセット値を基地局１０２に報告することができる。基地局１０２は、１つまたは複数の移動体装置１０４からの報告に基づいて、ＯＬＰＯのその推定を更新することができ、この新しい値を将来の試行（例えば、その後のブロードキャスト信号）に使用することができ、これによって、他の移動体装置１０４によるその後のアクセス試行についての過度のアクセス回数を軽減することができる。したがって、様々な態様は、必要に応じて電力オフセット値を更新することによって、基地局１０２と移動体装置１０４との間のより速く、潜在的により正確なオープンループ電力制御を提供することができる。これらの変更は、移動体装置１０４が基地局１０２へのアクセスの成功を達成したとき、または基地局１０２が、ブロードキャスト情報を変更する旨の推奨の正確さに関する妥当な信頼度（例えば、複数の装置からの確認、所与の間隔で受信されたすべての変更の平均、または他の基準など）を達成したときに行われる。
【００２９】
図２は、無線通信環境においてその後の送信のためにブロードキャスト情報の訂正を可能にするシステム例２００の図である。システム２００には、アクセスポイント２０２および移動体装置２０４が含まれる。システム２００は、より多くのアクセスポイントおよび移動体装置を含んでいてもよく、簡潔にするために、それぞれ１つについて図示し、説明することを理解されたい。アクセスポイント２０２は、移動体装置２０４がアクセスポイント２０２を識別し、それとの通信を確立することができるようにする情報をブロードキャストすることができる。ブロードキャスト信号には、少なくともアクセスポイント送信電力およびアクセスポイント受信電力目標値が含まれるものとする。
【００３０】
開示した特徴で訂正することができる誤った情報の例は、オフセット情報であるが、他の情報および計算も訂正することができる。オフセット情報に関連する場合、移動体装置２０４は、アクセスポイント２０２と通信するのと実質的に同時に、電力オフセットを測定し、移動体装置がアクセスポイント２０２との通信をより容易に確立することができるようにするために、アクセスポイント２０２によってブロードキャストされた情報にどの電力オフセット情報が含まれているべきだったかを特定することができる。移動体装置２０４は、この訂正された情報を、フィードバックまたは応答信号を使用してアクセスポイント２０２に伝えることができる。
【００３１】
さらに詳しくは、移動体装置２０４は、基地局２０２からブロードキャスト信号み含まれる情報（および基地局２０２および他の装置からの他の通信信号）を受信するように構成することができる受信機２０６を含むことができる。移動体装置２０４とアクセスポイント２０２との間でいったん接続が確立されると、アクセスポイント２０２は、入ってくる移動体装置の電力を監視し、移動体装置２０４に訂正を送信することができる。こうした訂正は、信号が所望のＳＮ比（ＳＮＲ）でアクセスポイント２０２に届くように、移動体装置２０４に、その電力を調整するよう指示することができる。ＳＮＲは、ネットワーク内のノイズの相対的なレベルの測定であり、伝送品質に対応し得る。ＳＮＲは、送信される使用可能な信号とノイズまたは不要な信号との比である。
【００３２】
アクセス要求は、一般に、例えば送信機２０８を介して移動体装置２０４がアクセスポイント２０２に送信する第１の信号である。したがって、アクセスポイント２０２は、この信号を受信する前に、移動体装置２０４からの信号が到着する電力レベルを認識していない。しかし、ブロードキャスト信号に含まれているアクセスポイント送信電力（ＡＰＴｘＰｗｒ）情報に基づいて、移動体装置２０４に関連付けられている電力オフセット評価器２１０は、クローズドループ電力制御を使用して、それが送信すべき送信電力（ＡＴＴｘＰｗｒ）の大ざっぱな調整を確かめることができる。移動体装置送信電力（ＡＴＴｘＰｗｒ）は、移動体装置２０４が信号を受信する電力（ＡＴＲｘＰｗｒ）＋任意のパス損失（Ｌ）に基づき得る。したがって、
【数１】
2010532646.tif 000003
【００３３】
であり、パス損失（Ｌ）について解くと、以下となる。
【数２】
2010532646.tif 000004
【００３４】
割り出されたパス損失（Ｌ）に基づいて、送信電力割当器２１２は、移動体装置送信電力（ＡＴＴｘＰｗｒ）を割り出されたパス損失（Ｌ）＋アクセスポイント受信電力目標値（ＡＰＲｘＰｗｒ）に設定することができる。
【数３】
2010532646.tif 000005
【００３５】
したがって、以下の通りである。
【数４】
2010532646.tif 000006
【００３６】
上述したプロセスは、一般に、オープンループ電力制御と呼ばれ、本明細書に開示された態様によって克服することができるいくつかの欠点を有する。例えば、何らかの較正エラーおよび／または受信パイロット電力および／または装置送信電力の測定の誤りがあり得る。こうした誤りの結果、移動体装置２０４から入ってくる初期アクセスの電力が高すぎる、または低すぎる場合がある。電力が高すぎる場合、これは、システム２００内の他の移動体装置２０４への干渉をもたらし得る。電力が低すぎる場合、アクセスポイント２０２は、移動体装置２０４からの通信を聞かない可能性があり、これは、移動体装置２０４がアクセスポイント２０２と通信できるようになる前に、遅延をもたらす可能性がある。移動体装置２０４が最終的にアクセスポイント２０２と通信することができるようになるまで、移動体装置２０４の送信電力は、変更することができ、結果として、電力が変更される間、遅延がもたらされる。このわずかな遅延は、特に、接続を迅速に確立することが重要なハンドオフ中、問題をもたらし得る。開示された態様は、その後の移動体装置がアクセスポイント２０２との通信を達成するための遅延を軽減することができる。
【００３７】
アクセスポイント受信電力目標値（ＡＰＲｘＰｗｒ）またはオフセット値情報は、情報通知器２１４によって、アクセスポイントに通信することができる。通信がブロードキャスト信号内の情報を調整する旨の推奨を含み、信号がオフセット値に関する正しい情報を含むようにして、ブロードキャスト信号を受信する装置が認識し、移動体装置が送信すべき値を迅速に計算できるようにしてもよい。開示された特徴を使用して、ブロードキャスト信号情報への他の訂正を適用することができることを理解されたい。
【００３８】
アクセスポイント２０２は、推奨に基づいて（例えば、受信された推奨に依拠して）ブロードキャスト情報を変更することができる。アクセスポイント２０２は、情報を変更する前に、１つまたは複数の移動体装置に確認を求め、それを受信することができる。あるいは、またはさらに、アクセスポイント２０２は、所定の数の類似の推奨が受信されるまで待ち、受信されたすべての推奨の平均または他の集計に基づいて、ブロードキャスト情報を調整することができる。アクセスポイント２０２は、ブロードキャスト信号に含まれる情報を変更する前に、検証を確立するために、他の基準（例えば、信頼度）を確立することができる。
【００３９】
メモリ２１６は、移動体装置２０４に動作可能に結合することができる。メモリ２１６は、モバイル装置識別情報、移動体装置送信電力、パス損失、アクセスポイント受信電力目標値、アクセスポイント送信電力、ＯＬＰＯに関連する情報、およびアクセスポイント２０２から受信された信号に含まれる情報の検証に関連する他の適した情報を格納することができる。メモリ２１６は、ブロードキャスト信号に含まれる情報を評価することと、情報に少なくとも１つの誤りがあるかどうかを判定することと、少なくとも１つの誤りをフィードバック信号でアクセスポイント２０２に通知することとに関連する命令を保持することができる。次のブロードキャスト信号の誤りを訂正するために、推奨を、アクセスポイント２０２に送信することができる。誤りは、ブロードキャスト信号に含まれる電力オフセット値および／または他の情報に関連し得る。さらに、および／または代わりに、メモリ２１６は、ブロードキャスト信号に含まれる情報が正しいかどうかをアクセスポイント２０２に通知するための命令を保持することができる。さらに、メモリ２１６は、アクセスポイント送信電力を装置受信電力と比較し、移動体装置２０４の送信電力をオフセット値とアクセスポイント受信電力目標値との合計に設定することによって、電力オフセット値を割り出すための命令を保持することができる。いくつかの態様によれば、メモリ２１６は、次のブロードキャスト信号を調べ、次のブロードキャスト信号の正確さに関する情報を提供するための命令を保持することができる。
【００４０】
メモリ２１６は、肯定応答を生成すること、ブロードキャスト情報への変更を推奨すること、移動体装置２０４とアクセスポイント２０２との間の通信を制御するためのアクションを起こすことなどに関連するプロトコルを格納することができ、したがって、システム２００は、格納されたプロトコルおよび／またはアルゴリズムを使用して、本明細書に記載したように、無線ネットワークにおける通信の向上を達成することができる。本明細書に記載されたデータストア（例えばメモリ）構成要素は、揮発性メモリまたは不揮発名メモリのいずれかとすることができ、または、揮発性メモリおよび不揮発性メモリの両方を含み得ることを理解されたい。不揮発性メモリには、それだけには限定されないが一例として、読み取り専用メモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）、フラッシュメモリなどがあり得る。揮発性メモリには、外部キャッシュメモリとして働くランダムアクセスメモリ（ＲＡＭ）などがあり得る。ＲＡＭは、それだけには限定されないが一例として、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）など多くの形態で使用可能である。開示された態様のメモリ２１６は、それだけには限定されないが、これらおよび他の適したタイプのメモリを備えるものとする。
【００４１】
プロセッサ２１８は、移動体装置２０４（および／またはメモリ２１６）に動作可能に接続することができ、メモリに保持される命令を実行するように構成することができる。プロセッサ２１８は、システム２００における情報の訂正に関連する情報の分析を容易にするように構成することもできる。プロセッサ２１８は、受信機２０６によって受信される情報を分析し、かつ／または生成するために設けられているプロセッサ、システム２００の１つまたは複数の構成要素を制御するプロセッサ、および／または情報を分析し、生成し、システム２００の１つまたは複数の構成要素を制御するプロセッサとすることができる。
【００４２】
次に、図３を参照すると、無線通信環境においてブロードキャスト情報を選択的に更新するシステム例３００が示されている。システム３００は、少なくとも１つのアクセスポイント３０２および少なくとも１つの移動体装置３０４を含む。アクセスポイント３０２は、アクセスポイント３０２の地理的範囲内の移動体装置３０４がアクセスポイント３０２（またはネットワーク）を識別し、アクセスポイント３０２に選択的にアクセスできるようにする順方向リンク情報を連続的または定期的にブロードキャストすることができる送信機３０６を含む。こうした選択的なアクセスは、信号の強度または信号の品質、および他の因子を含む様々な基準に基づき得る。一例によれば、ブロードキャスト情報は、アクセスポイント送信電力、アクセスポイント受信電力目標値、電力損失の量、電力オフセット情報、訂正されたデルタ値、またはその組合せ、および／または他の情報を含み得る。
【００４３】
移動体装置３０４は、ブロードキャスト信号に含まれる情報からパイロット電力を測定することができる。パイロット信号は、アクセスポイントの送信電力−任意のパス損失である。パス損失は、電磁波が特定のパス中、空間を進むときに起こる電力損失と定義される。移動体装置３０４は、受信パイロット電力（ＰｏｗＲｘＰｉｌ）をアクセスポイント送信電力から差し引くことによって、パス損失電力（Ｌ）を解くことができる。
【数５】
2010532646.tif 000007
【００４４】
式中、ＰｏｗＴｘＰｉｌは、アクセスポイント３０２の総パイロット電力である。ＬＤＬは、ダウンリンクパス損失を表す。式４は、実質的に式１と同じであることに留意されたい。アップリンクアクセス要求が所望のＳＮＲレベルに到達するには、アクセスポイント受信電力ＰｏｗＲｘＡｃｓは、次のようになるはずである。
【数６】
2010532646.tif 000008
【００４５】
または、同様に、移動体側では、以下となる。
【数７】
2010532646.tif 000009
【００４６】
ＬＤＬがＬＵＬに等しいと仮定すると、以下となる。
【数８】
2010532646.tif 000010
【００４７】
アクセスポイント３０２は、両方の項、ＰｏｗＴｘＰｉｌおよびＰｏｗＲｘＡｃｓを認識することができる。したがって、アクセスポイント３０２は、式８の右側、Ｚ＝ＰｏｗＲｘＡｃｓ＋ＰｏｗＴｘＰｉｌを、ブロードキャストチャネルを介して移動体装置３０４に伝えることができる。パラメータＺは、オープンループ利得オフセット（open-loop gain offset）と呼ばれる。移動体装置３０４は、Ｚオフセットをその受信パイロット電力に追加して、その初期送信電力の推定値を得ることができる。
【数９】
2010532646.tif 000011
【００４８】
移動体装置３０４は、アクセスに失敗した場合、初期アクセス電力より高いまたは低い、式９とは異なる電力レベルで、アクセスを再試行し得る。最終的に、移動体装置３０４は、アクセスすると、移動体装置３０４がアクセスポイント３０２に接続することができた最終的なオープンループ電力利得オフセットＺｆｉｎａｌをアクセスポイント３０２に報告することができる。アクセスポイント３０２は、Ｚｆｉｎａｌを使用して、利得オフセットのそのコピーを微調整し、こうした値をそのブロードキャスト信号に含めることができる。
【００４９】
ブロードキャスト情報への選択的な更新を容易にするために、移動体装置３０４は、ブロードキャスト情報を受信するのと実質的に同時に、アクセスポイント３０２に、誤った任意のデータを通知し、かつ／または、情報を訂正することに関する推奨を提供することができる。移動体装置３０４は、自動的にこうした通知を実行するように構成することができ、またはアクセスポイント３０２は、こうした情報を明確に要求することができる。
【００５０】
ブロードキャスト情報調整器３１０は、将来のブロードキャストのために、ブロードキャスト信号内の情報を選択的に変更したり、適応させたりするように構成することができる。例えば、ブロードキャスト情報調整器３１０は、訂正通知または推奨が移動体装置３０４から受信されたのと実質的に同時に、ブロードキャスト情報を変更することができる。さらに、または代わりに、ブロードキャスト情報調整器３１０は、移動体装置３０４から受信された訂正された情報が正確かどうかを判定するために、他の移動体装置に検証を求める場合がある。推奨される変更に応じて、ブロードキャスト情報調整器３１０は、ブロードキャスト信号に含まれる情報を変更しない場合がある。あるいは、またはさらに、移動体装置３０４から異なる情報が受信された場合、ブロードキャスト情報調整器３１０は、受信した変更を平均したり、最近の報告の中間をとったり、任意の他の有意の統計的対応を適用したりして、ブロードキャスト情報に対する変更を送信することができる。受信された推奨される変更の他の変更、調整、または受け入れは、ブロードキャスト情報調整器３１０によって実施することができる。
【００５１】
ブロードキャスト信号を受信する次の移動体装置（例えば、アクセスポイントの地理的範囲に入る新しい装置）は、ブロードキャスト信号内のより正確な情報（例えば、変更された情報）の恩恵を得ることができる。したがって、こうしたその後の移動体装置は、アクセスポイント３０２との通知をより効率的に確立し、維持することができる。加えるべき追加の変更がある（例えば、情報が依然として誤っている、または他の情報が誤っていると判定された）場合、次の移動体装置は、上記と同じ方法でこうした変更を推奨することができる。情報が許容可能である（例えば、正しい）場合、その後の移動体装置は、情報が正しいことをアクセスポイント３０２に通知する情報を送信する必要はない。しかし、いくつかの態様によれば、この情報をアクセスポイント３０２に伝えることができる。
【００５２】
メモリ３１２は、アクセスポイント３０２に動作可能に結合することができる。メモリ３１２は、ブロードキャスト信号に含めるべき情報を特定することに関連する情報を格納し、かつ／または命令を保持することができる。ブロードキャスト信号内のこうした情報は、アクセスポイント送信電力、アクセスポイント受信電力目標値、パス損失、または電力オフセットのうちの少なくとも１つ、あるいはその組合せに関連し得る。メモリ３１２は、さらに、ブロードキャスト信号情報に含まれる情報を更新するための装置の推奨を受信し、受信された装置の推奨に一部分基づいて、ブロードキャスト信号情報を選択的に変更することに関連する情報を格納し、かつ／または命令を保持することができる。さらに、メモリ３１２は、推奨を提供した装置に関連する信頼度を特定する、少なくとも第２の装置に、提供された推奨の裏付けを要求する、ブロードキャスト信号に含まれる情報の確認を要求する、ブロードキャスト信号内の情報を選択的に変更する前に、複数の装置から受信された値を平均する、ブロードキャスト信号を変更した後、適切な変更が行われたことを検証するために、推奨を提供した装置からフィードバックを受信するための情報を格納し、かつ／またはそのための命令を保持することができ、かつ／またはブロードキャスト信号に含まれる情報を更新し、その正確さを検証することに関連する他の適した情報を格納することができる。
【００５３】
プロセッサ３１４は、ブロードキャスト情報を更新し、検証することに関連する情報の分析を容易にするために、アクセスポイント３０２（および／またはメモリ３１２）に動作可能に接続することができ、かつ／またはメモリ３１２に保持されている命令を実行するように構成することができる。プロセッサ３１４は、受信機３０８によって受信された情報の分析、および／または送信機３０６および／またはブロードキャスト情報調整器３１０によって使用することができる情報の生成のために設けられるプロセッサ、システム３００の１つまたは複数の構成要素を制御するプロセッサ、および／または情報を分析し、情報を生成し、システム３００の１つまたは複数の構成要素を制御するプロセッサとすることができる。
【００５４】
図４を参照すると、フィードバックメカニズムを介したブロードキャスト情報の自動訂正を容易にする通信ネットワーク例４００の図である。システム４００は、誤っていると判定された情報を変更し、こうした変更された情報を選択的にその後の通信に適用するように構成することができる。この情報は、多数の装置が部分的または完全にこうしたブロードキャスト情報（例えば、電力オフセット情報）に依拠する近隣内のこうした装置にブロードキャストすることができる。
【００５５】
さらに詳細には、システムは、アクセスポイント４０２および移動体装置４０４および４０６を含む。移動体装置４０４は、アクセスポイント４０２の地理的範囲に入る第１の装置とすることができ、第２の移動体装置４０６は、第１の移動体装置４０４の後、アクセスポイント４０２の地理的範囲に入ることができる。アクセスポイント４０２は、４０８（および４１４）で示されるように、順方向リンク情報を定期的または連続的に送信またはブロードキャストすることができる。こうした情報によって、近隣内の装置４０４、４０６は、選択的にアクセスポイント４０２を使用することができる。こうした選択的な使用は、信号の強度または信号の品質、および他の因子を含む様々な基準に基づき得る。ブロードキャスト情報は、アクセスポイント送信電力、アクセスポイント受信電力目標値、および／または他の情報を含み得る。
【００５６】
第１の移動体装置４０４は、アクセスポイントの送信電力−任意のパス損失である、受信パイロット電力を測定することができる。移動体装置４０４は、受信パイロット電力をブロードキャストされたアクセスポイント送信電力から差し引くことによって、パス損失電力（Ｌ）を解くことができる。移動体装置４０４は、その送信電力を、アクセスポイント受信電力＋割り出されたパス損失に設定することができる。移動体装置４０４は、決定された送信電力レベルを使用して、通信４１０をアクセスポイント４０２に送信することができる。
【００５７】
上述したプロセスは、一般に、オープンループ電力制御と呼ばれ、開示された特徴によって克服することができるいくつかの欠点を有する。１つの欠点は、何らかの較正エラーおよび／または受信パイロット電力および／または装置送信電力の測定の誤りがあり得ることである。こうした誤りの結果、入ってくる初期アクセスの電力が高すぎる、または低すぎる場合がある。電力が高すぎる場合、これは、干渉をもたらし得る。電力が低すぎる場合、アクセスポイントは、移動体装置からの通信を聞くことができない場合がある。較正および／または測定の誤りによって、移動体装置がアクセスポイントと通信できるようになる前に、遅延がもたらされる。この遅延は、移動体装置が最終的にアクセスポイントと通信することができるようになるまで、その送信電力を変更する移動体装置の機能である。このわずかな遅延は、特に、接続を迅速に確立することが重要なハンドオフ中、問題をもたらし得る。
【００５８】
開示された態様は、アクセスポイント４０２の範囲内に入るその後の移動体装置４０６が、アクセスポイント４０２との迅速な通信を得ることができるように、この遅延を克服する。移動体装置４０４は、順方向リンク４０８で、基地局４０２からブロードキャスト情報を受信し、上述したプロセスと同様のその装置送信電力を計算する。移動体装置４０４は、アクセスポイント４０２と通信した後、電力オフセットを測定し、アクセスポイント４０２によってどの電力オフセット情報がブロードキャストされるべきであるかを特定する。移動体装置４０４は、４１２に示されているフィードバックループで、このオフセット情報をアクセスポイント４０２に伝える。
【００５９】
アクセスポイント４０２は、移動体装置４０４から受信された情報に基づいて、そのブロードキャスト情報を選択的に変更することができる。移動体装置４０４から受信された情報が、ブロードキャスト信号を更新するために使用される場合、更新された信号は、４１４（および４０８）でブロードキャストされ、アクセスポイント４０２の地理的範囲に入る次の移動体装置４０６によって聞かれ得る。したがって、移動体装置４０６は、４１６に示されている、アクセスポイント４０２との通信を確立するための時間量を軽減するために、ブロードキャスト信号内の更新された（および潜在的に正しい）情報の恩恵を受けることができる。ブロードキャスト情報（またはブロードキャスト情報の一部分）が誤っている場合、移動体装置４０６は、上記と同じ方法で、アクセスポイント４０２に推奨を提供することができる。ブロードキャスト情報が正しい場合、移動体装置４０６は、こうした情報をアクセスポイント４０２に提供することはできるが、こうした通知は、必須ではない。
【００６０】
図５〜図６を参照すると、こうしたブロードキャスト情報のその後の通信が、依拠することができるより正確な情報を提供するように、ブロードキャスト情報を更新することに関する方法が示されている。説明を簡単にするために、方法を一連の動作として示し、説明しているが、一部の動作は、１つまたは複数の態様に従って、本明細書に示し、説明したものとは異なる順序で、かつ／または他の動作と同時に行うことができるため、この方法は動作の順序によって限定されないことを理解されたい。例えば、方法を、代わりに相互に関係のある一連の状態またはイベントとして、例えば状態図などで表すことができることを当業者であれば理解されよう。さらに、１つまたは複数の態様に従って方法を実施するのに、示したすべての動作が必要であるとは限らない。
【００６１】
図５は、無線通信環境内において、ブロードキャスト信号に含まれる情報を選択的に調整することを容易にする方法例５００の図である。方法５００は、電力制御情報を含む情報が（例えば、定期的に、連続的になど）ブロードキャストされると、５０２で開始する。こうした情報は、多数の装置が部分的または完全にこうしたブロードキャスト情報に依拠する地理的範囲内または近隣内の１つまたは多数の装置にブロードキャストすることができる。ブロードキャスト信号は、アクセスポイント受信電力目標値、アクセスポイント送信電力、電力オフセット、パス損失、またはその組合せに関連する情報、および／または他の情報を含み得る。いくつかの状況では、アクセスポイント電力目標値（または信号に含まれている他の情報）は正しくなく、アクセスポイントと通信するためにこの情報に依拠するアクセスポイントの近隣内にある移動体装置は、アクセスポイントとの即座の通信を取得することができない。例えば、電力目標値が低すぎる場合、アクセスポイントは、移動体装置からの通信を聞くことができない場合がある。電力目標値が高すぎる場合、近隣の他の装置に干渉がもたらされ得る。ブロードキャスト信号に含まれる情報の一部分（電力目標値、電力オフセット、または他の情報）が移動体装置によって誤っていると判定された場合、アクセスポイントは、訂正された情報を移動体装置に要求し得る。いくつかの態様によれば、ブロードキャスト信号は、１つまたは複数の移動体装置がブロードキャスト信号に含まれる情報が正しいか、誤っているかを確認する要求を含む。
【００６２】
５０４で、訂正された情報が、１つまたは複数の移動体装置から応答信号で受信される。訂正された情報は、ブロードキャスト信号で送信された情報に対する１つまたは複数の変更を含み得る。例えば、１つまたは複数の移動体装置は、その後の移動体装置がアクセスポイントからの初期通信（例えば信号）で正しい情報を受信するために、ブロードキャスト信号内のどの情報を変更すべきかを特定することができる。訂正された情報は、オフセット情報、またはアクセスポイントとの通信を確立するために装置が必要とする時間量を軽減し得る他の情報を含み得る。いくつかの態様によれば、ブロードキャスト信号に対する必要な訂正がない場合、５０４で、応答信号は受信されない。他の態様によれば、５０４で、ブロードキャスト信号情報が正しいことを示す応答信号が受信される。
【００６３】
ブロードキャスト信号に含まれる情報を訂正するために、５０６で、１つまたは複数の移動体装置から受信された変更された情報をアクセスポイントによって選択的に適用することができる。例えば、アクセスポイントは、その情報が信頼できると判定した場合、そのブロードキャスト情報を選択的に調整することができる。情報は、ある信頼度に到達しない限り、信頼できるとみなされない場合がある。信頼度は、一部分、移動体装置の信頼性に関して、履歴情報または他の基準に基づいて導出することができる。情報が信頼できるとみなされるまで、変更は、ブロードキャスト信号に適用されない場合がある。
【００６４】
しかし、情報が信頼できないと判定された場合、または他の装置による裏付けが得られない場合、アクセスポイントは、ブロードキャスト情報を調整しない場合がある。いくつかの状況では、アクセスポイントは、同じ移動体装置、またはブロードキャスト信号を聞くことができる他の移動体装置に、さらに情報を要求し得る。例えば、アクセスポイントは、ブロードキャスト信号を更新する前に、第２の移動体装置（またはより多くの移動体装置）に、少なくとも１つの変更の裏付けを要求することができる。
【００６５】
アクセスポイントは、こうした変更をブロードキャスト信号に含まれる情報に適用する前に、１つまたは複数の移動体装置から受信された情報に変更を行うことができる。例えば、複数の装置から受信された測定（または他の情報）は、それらが一致せず、かつ／またはほぼ同じ場合、平均され得る。情報を選択的に変更するために、他の基準（例えば、変更情報を提供する移動体装置の識別、履歴情報に基づく移動体装置の信頼性など）を使用することもできる。方法５００は、変更された（または同じ）情報がブロードキャストされると、５０２に進むことができる。したがって、ブロードキャスト信号情報の少なくとも一部が正しくなくなる通信ネットワーク内の変更が行われると、ブロードキャスト信号に含まれる情報は、必要に応じて、連続的に変更される。いくつかの態様によれば、フィードバック情報（例えば、ブロードキャスト情報が正しいか誤っているかの通知）は、ブロードキャスト情報ができるだけ正しいままであることを検証するために、定期的または連続的に、少なくとも１つの移動体装置に要求する、かつ／またはそこから受信することができる。
【００６６】
図６を参照すると、フィードバックメカニズムを介したブロードキャスト情報の自動的な訂正を容易にする方法６００が示されている。方法６００は、ブロードキャスト情報が受信されると、６０２で開始する。装置が基地局の地理的エリアに入ると（例えば、ハンドオフされる、起動時など）、この情報が受信され得る（またはアクティブに探し出され得る）。ブロードキャスト情報は、それだけには限定されないが、アクセスポイントの識別、アクセスポイント送信電力レベル、アクセスポイント受信電力目標値レベル、オフセット値を含む様々なタイプの情報、およびアクセスポイントを識別し、使用するために移動体装置によって使用することができる他の情報を含み得る。
【００６７】
ブロードキャスト信号に含まれる情報は、正しい場合もあり、あるいは、ブロードキャスト信号内の情報のうちの１つまたは複数の部分が不正確である場合もある。情報が正しい場合、移動体装置は、アクセスポイントとの通信を迅速に確立することができる。移動体装置は、その情報が正しいことを示す確認をアクセスポイントに送信することができるが、これは、必須ではない。
【００６８】
ブロードキャスト信号内の情報または情報の一部が誤っている場合、６０４で、どの情報が誤っているかに関する特定が行われる。こうした特定は、通信を確立するために情報を使用し、通信が所定の間隔内に確立されない場合、通信が確立されるまで情報を変更する（例えば、送信電力レベルを調整する）ことに基づいて行うことができる。例えば、２つの電力間の差を割り出すために、アクセスポイント送信電力および装置受信電力を比較することができる。アクセスポイント送信電力は、ブロードキャスト信号に含まれる情報から知ることができる。２つの電力の間の差は、電力損失または電力オフセット値と呼ぶことができる。さらに、または代わりに、情報を訂正するために計算を行う、または情報のうちの任意のものが誤っているかどうかを判定し、必要な訂正を確かめるために、他のアクションを行うことができる。いくつかの態様によれば、ブロードキャスト信号は、移動体装置が、ブロードキャスト信号に含まれる一部の（またはすべての）情報が正確であるかどうか、かつ／または変更を必要とするかどうかを検証するための要求を含み得る。
【００６９】
６０６で、推奨される変更を含むメッセージを、アクセスポイントなど、ブロードキャスト情報を送信した装置に（例えば、フィードバック信号で）伝えることができる。例えば、電力オフセット情報が次のブロードキャスト信号に含まれることを推奨する電力オフセット情報をアクセスポイントに提供することができる。ブロードキャスト情報を送信した装置は、選択的に適用することができる別の変更が推奨されるまで、ブロードキャスト情報を選択的に変更し、変更されたブロードキャスト情報を伝えることができる。したがって、ブロードキャスト情報において変更が必要であると判定された場合、後でブロードキャスト情報を受信する装置が、正しいとみなされる、訂正されたまたは変更された情報を受信するように、これらの変更を加えることができる。いくつかの態様によれば、ブロードキャスト信号に含まれる情報が変更を必要としていない（例えば正しい）かどうかを、アクセスポイントに通知することはできるが、こうした通知は、必須ではない。
【００７０】
本明細書に記載された１つまたは複数の態様によれば、ブロードキャスト情報を動的に更新することに関して、推論を行うことができることを理解されたい。本明細書で使用する場合、「推論する」または「推論」という用語は一般に、イベントおよび／またはデータを介して捕捉された１組の観察結果からシステム、環境、および／またはユーザの状態について推理または推論する過程を指す。例えば、推論を使用して、特定のコンテキストまたはアクションを識別したり、状態にわたる確率分布を生成したりすることができる。推論は、確率的、つまりデータおよびイベントの考慮に基づいた対象の状態にわたる確率分布の計算とすることができる。また、推論は、１組のイベントおよび／またはデータから上位レベルのイベントを構成するために使用される技術を指すことができる。こうした推論によって、複数のイベントが時間的にごく近接して相関しているかどうかにかかわらず、またイベントおよびデータが派生したイベントおよびデータソースが１つであろうと複数であろうと、１組の観察されたイベントおよび／または格納されたイベントデータから新しいイベントまたはアクションが構築される。
【００７１】
一例によれば、上述した１つまたは複数の方法は、ブロードキャスト信号に含まれる情報に選択的に変更を行うことに関する推論を行うことを含み得る。別の例によれば、変更することが推奨される情報のタイプに基づいて受信すべきいくつかの検証に関連して、推論を行うことができる。別の例によれば、推奨を提供した装置の識別に基づいて、推奨される変更が正確である尤度に関して、推論を行うことができる。上記の例は、本質的に例であり、行うことができる推論の数、または本明細書に記載されている様々な態様と共にこうした推論が行われる方法を限定するものではないことを理解されたい。
【００７２】
図７は、複数のセル、セルＩ７０２、セルＭ７０４を含む様々な態様に従って実施される通信システム例７００を示す。隣接セル７０２、７０４は、セル境界領域７６８によって示されるように、わずかに重なり、それによって、隣接セル内の基地局によって送信された信号間の信号干渉の可能性を作り出すことに留意されたい。システム７００の各セル７０２、７０４は、３つのセクタを含む。様々な態様によれば、複数のセクタに再分割されていないセル（Ｎ＝１）、２つのセクタを含むセル（Ｎ＝２）、および３つを超えるセクタを含むセル（Ｎ＞３）も可能である。セル７０２は、第１のセクタ、セクタＩ７１０、第２のセクタ、セクタＩＩ７１２、および第３のセクタ、セクタＩＩＩ７１４を含む。各セクタ７１０、７１２、７１４は、２つのセクタ境界領域を含み、各境界領域は、２つの隣接するセクタ間で共有される。
【００７３】
セクタ境界領域は、隣接するセクタにおける基地局によって送信される信号間の信号干渉の可能性を提供する。線７１６は、セクタＩ７１０とセクタＩＩ７１２との間のセクタ境界領域を表し、線７１８は、セクタＩＩ７１２とセクタＩＩＩ７１４との間のセクタ境界領域を表し、線７２０は、セクタＩＩＩ７１４とセクタＩ７１０との間のセクタ境界領域を表す。同様に、セルＭ７０４は、第１のセクタ、セクタＩ７２２、第２のセクタ、セクタＩＩ７２４、および第３のセクタ、セクタＩＩＩ７２６を含む。線７２８は、セクタＩ７２２とセクタＩＩ７２４との間のセクタ境界領域を表し、線７３０は、セクタＩＩ７２４とセクタＩＩＩ７２６との間のセクタ境界領域を表し、線７３２は、セクタＩＩＩ７２６とセクタＩ７２２との間の境界領域を表す。セルＩ７０２は、基地局（ＢＳ）、基地局Ｉ７０６、および各セクタ７１０、７１２、７１４における複数のエンドノード（ＥＮ）（例えば無線端末）を含む。セクタＩ７１０は、無線リンク７４０、７４２によってそれぞれＢＳ７０６に結合されているＥＮ（１）７３６およびＥＮ（Ｘ）７３８を含み、セクタＩＩ７１２は、無線リンク７４８、７５０によってそれぞれＢＳ７０６に結合されているＥＮ（１’）７４４およびＥＮ（Ｘ’）７４６を含み、セクタＩＩＩ７１４は、無線リンク７５６、７５８によってそれぞれＢＳ７０６に結合されているＥＮ（１”）７５２およびＥＮ（Ｘ”）７５４を含む。同様に、セルＭ７０４は、基地局Ｍ７０８、および各セクタ７２２、７２４、７２６における複数のエンドノード（ＥＮ）を含む。セクタＩ７２２は、無線リンク７４０’、７４２’によってそれぞれＢＳ  Ｍ７０８に結合されているＥＮ（１）７３６’およびＥＮ（Ｘ）７３８’を含み、セクタＩＩ７２４は、無線リンク７４８’、７５０’を介してそれぞれＢＳ  Ｍ７０８に結合されているＥＮ（１’）７４４’およびＥＮ（Ｘ’）７４６’を含み、セクタIII  ７２６は、無線リンク７５６’、７５８’によってそれぞれＢＳ７０８に結合されているＥＮ（１”）７５２’およびＥＮ（Ｘ”）７５４’を含む。
【００７４】
システム７００は、ネットワークリンク７６２、７６４によってそれぞれＢＳ  Ｉ７０６およびＢＳ  Ｍ７０８に結合されるネットワークノード７６０も含む。ネットワークノード７６０は、ネットワークリンク７６６を介して他のネットワークノード（例えば、他の基地局、ＡＡＡサーバノード、中間ノード、ルータなど）、およびインターネットにも結合される。ネットワークリンク７６２、７６４、７６６は、例えば、光ファイバケーブルとすることができる。例えばＥＮ（１）７３６などの各エンドノードは、送信機および受信機を含む無線端末とすることができる。無線端末（例えば、ＥＮ（１）７３６）は、システム７００を移動することができ、無線リンクを介して、ＥＮが現在配置されているセル内の基地局と通信することができる。無線端末（ＷＴ）（例えばＥＮ（１）７３６）は、例えばＢＳ７０６などの基地局、および／またはネットワークノード７６０を介して、ピアノード（例えば、システム７００内の、およびシステム７００外の他のＷＴ）と通信することができる。ＥＮ（１）７３６などのＷＴは、無線モデムを含むセル電話、携帯情報端末などの無線通信装置とすることができる。
【００７５】
ストリップシンボル期間（strip-symbol period）に、それぞれの基地局は、残りのシンボル期間（例えば、非ストリップシンボル期間）にトーンを割り当てたり、トーンホッピングを特定したりするために使用される方法とは異なる方法を使用して、トーンサブセット割当て（tone subset allocation）を行う。無線端末は、基地局から受信された情報（例えば、基地局スロープＩＤ、セクタＩＤ情報）と共にトーンサブセット割当て方法を使用して、特定のストリップシンボル期間にデータおよび情報を受信するために使用することができるトーンを特定する。それぞれのトーンにセクタ間およびセル間干渉を広げるために、様々な態様に従って、トーンサブセット割当てシーケンスが構築される。
【００７６】
図８は、様々な態様による基地局例８００を示す。基地局８００は、トーンサブセット割当てシーケンスを実施し、セルのそれぞれ異なるセクタタイプのために異なるトーンサブセット割当てシーケンスが生成される。基地局８００は、図７のシステム７００の基地局７０６、７０８のうちの任意の１つとして使用することができる。基地局８００は、受信機８０２、送信機８０４、プロセッサ８０６（例えばＣＰＵ）、入出力インターフェース８０８、およびメモリ８１０を含み、これらは、バス８０９によって共に結合されており、様々な要素８０２、８０４、８０６、８０８、および８１０は、それを介してデータおよび情報を交換することができる。
【００７７】
受信機８０２に結合されたセクタ化アンテナ（Sectorized antenna）８０３は、基地局のセル内の各セクタからの無線端末送信からデータおよび他の信号、例えばチャネル報告を受信するために使用される。送信機８０４に結合されたセクタ化アンテナ８０５は、データおよび他の信号（例えば、制御信号、パイロット信号、ビーコン信号など）を、基地局のセルの各セクタ内の無線端末９００（図９参照）に送信するために使用される。様々な態様において、基地局８００は、例えばセクタごとの個々の受信機８０２、セクタごとの個々の送信機８０４など、複数の受信機８０２、および複数の送信機８０４を使用することができる。プロセッサ８０６は、例えば、汎用中央制御装置（ＣＰＵ）とすることができる。プロセッサ８０６は、メモリ８１０に格納されている１つまたは複数のルーチン８１８の指示に従って、基地局８００の操作を制御し、方法を実施する。入出力（Ｉ／Ｏ）インターフェース８０８は、他のネットワークノードへの接続を提供し、ＢＳ８００を他の基地局、アクセスルータ、ＡＡＡサーバノードなど、他のネットワーク、およびインターネットに結合する。メモリ８１０は、ルーチン８１８およびデータ／情報８２０を含む。
【００７８】
データ／情報８２０は、データ８３６、ダウンリンクストリップシンボル時間情報８４０およびダウンリンクトーン情報８４２を含むトーンサブセット割当てシーケンス情報８３８、および複数の組のＷＴ情報、ＷＴ１情報８４６およびＷＴ  Ｎ情報８６０を含む無線端末（ＷＴ）データ／情報８４４を含む。ＷＴ情報（例えばＷＴ１情報８４６）の各組は、データ８４８、端末ＩＤ８５０、セクタＩＤ８５２、アップリンクチャネル情報８５４、ダウンリンクチャネル情報８５６、およびモード情報８５８を含む。
【００７９】
ルーチン８１８は、通信ルーチン８２２、基地局制御ルーチン８２４、およびデータ更新ルーチン８６２を含む。基地局制御ルーチン８２４は、スケジューラモジュール８２６、ならびにストリップシンボル期間の間のトーンサブセット割当てルーチン８３０、残りのシンボル期間（例えば、非ストリップシンボル期間）の間の他のダウンリンクトーン割当てホッピングルーチン８３２、およびビーコンルーチン８３４を含むシグナリングルーチン８２８を含む。データ更新ルーチン８６２は、さらに、フィードバック評価ルーチン（図示せず）および／または装置特性評価ルーチン（図示せず）を含み得る。
【００８０】
データ８３６は、ＷＴへの送信前に符号化するために、送信機８０４の符号器８１４に送信される、送信すべきデータ、および受信に続いて受信機８０２の復号器８１２により処理されたＷＴからの受信データを含む。ダウンリンクストリップシンボル時間情報８４０は、スーパースロット、ビーコンスロット、およびウルトラスロット構造情報などのフレーム同期構造情報、ならびに所与のシンボル期間がストリップシンボル期間であるかどうかを指定し、そうである場合、ストリップシンボル期間のインデックスを指定し、ストリップシンボルが基地局によって使用されるトーンサブセット割当てシーケンスを切り捨てるための再設定ポイントであるかどうかを指定する情報を含む。ダウンリンクトーン情報８４２は、基地局８００に割り当てられた搬送周波数、トーンの数および周波数、およびストリップシンボル期間に割り当てられるトーンサブセットの組を含む情報、ならびにスロープ、スロープインデックス、セクタタイプなど、他のセルおよびセクタ固有の値を含む。
【００８１】
データ８４８は、ＷＴ１  ９００がピアノードから受信したデータ、ＷＴ１  ９００がピアノードに送信されることを望むデータ、およびダウンリンクチャネル品質報告フィードバック情報を含み得る。端末ＩＤ８５０は、ＷＴ１  ９００を識別するＩＤが割り当てられた基地局８００である。セクタＩＤ８５２は、ＷＴ１  ９００が動作しているセクタを識別する情報を含む。セクタＩＤ８５２は、例えば、セクタタイプを特定するために使用することができる。アップリンクチャネル情報８５４は、（例えば、データのアップリンクトラフィックチャネルセグメント、要求用の専用アップリンク制御チャネル、電力制御、タイミング制御など）ＷＴ１  ９００が使用するスケジューラ８２６によって割り当てられたチャネルセグメントを識別する情報を含む。
【００８２】
ＷＴ１  ９００に割り当てられた各アップリンクチャネルは、１つまたは複数の論理トーンを含み、各論理トーンは、アップリンクホッピングシーケンスの後にある。ダウンリンクチャネル情報８５６は、（例えば、ユーザデータ用のダウンリンクトラフィックチャネルセグメントなど）データおよび／または情報をＷＴ１  ９００に運ぶために、スケジューラ８２６によって割り当てられたチャネルセグメントを識別する情報を含む。ＷＴ１  ９００に割り当てられた各ダウンリンクチャネルは、１つまたは複数の論理トーンを含み、それぞれは、ダウンリンクホッピングシーケンスの後にある。モード情報８５８は、ＷＴ１  ９００の動作の状態（例えば、スリープ、ホールド、オンなど）を識別する情報を含む。
【００８３】
通信ルーチン８２２は、様々な通信操作を実行し、様々な通信プロトコルを実施するように基地局８００を制御する。基地局制御ルーチン８２４は、基本的な基地局の機能的タスク（例えば、信号生成および受信、スケジューリング）を実行し、ストリップシンボル期間中にトーンサブセット割当てシーケンスを使用して信号を無線端末に送信することを含めて、いくつかの態様の方法のステップを実施するように基地局８００を制御するために使用される。
【００８４】
シグナリングルーチン８２８は、その復号器８１２を含む受信機８０２、およびその符号器８１４を含む送信機８０４の動作を制御する。シグナリングルーチン８２８は、送信されたデータ８３６の生成および制御情報を制御する責任を負う。トーンサブセット割当てルーチン８３０は、態様の方法を使用し、ダウンリンクストリップシンボル時間情報８４０およびセクタＩＤ８５２を含むデータ／情報８２０を使用して、ストリップシンボル期間に使用されるトーンサブセットを構築する。ダウンリンクトーンサブセット割当てシーケンスは、あるセルにおけるセクタタイプごとに異なり、隣接するセルについて異なる。
【００８５】
ＷＴ９００は、ダウンリンクトーンサブセット割当てシーケンスに従って、ストリップシンボル期間に信号を受信し、基地局８００は、送信信号を生成するために、同じダウンリンクトーンサブセット割当てシーケンスを使用する。他のダウンリンクトーン割当てホッピングルーチン８３２は、ストリップシンボル期間以外のシンボル期間の間、ダウンリンクトーン情報８４２、およびダウンリンクチャネル情報８５６を含む情報を使用して、ダウンリンクトーンホッピングシーケンスを構築する。ダウンリンクデータトーンホッピングシーケンスは、セルのセクタにわたって同期される。ビーコンルーチン８３４は、同期の目的（例えば、ダウンリンク信号のフレームタイミング構造を同期するため）に使用され得るビーコン信号の送信（例えば、１つまたはわずかなトーンに集中する比較的高い電力信号の信号）、したがってウルトラスロット境界に対するトーンサブセット割当てシーケンスを制御することができる。
【００８６】
データ更新ルーチン８６２は、さらに、フィードバック評価ルーチン（図示せず）および／または装置特性評価ルーチン（図示せず）を含み得る。フィードバックは、送信信号に含まれるデータの更新、削除、追加などが行われるべきかどうかを判定するために評価することができる。フィードバックは、１つまたは複数の装置からとすることができ、基地局８００によって送信されるデータのすべてまたは一部分に関連し得る。さらに、および／または代わりに、フィードバックを提供した装置に関連付けられている特徴は、データが変更されるべきであるかどうかを判定するために評価することができる。さらに、データ更新ルーチン８６２は、変更されたデータおよび／または変更を提供した装置に関連する信頼度に基づいて、データ変更を制御することができる。いくつかの態様によれば、データ更新ルーチン８６２は、受信されたフィードバックの集約、および／または他の基準に基づき得る。
【００８７】
図９は、例えば図７に示されるシステム７００のＥＮ（１）７３６など、無線端末（例えば、エンドノード、移動体装置・・・）のうちの任意の１つとして使用することができる無線端末例９００（例えば、エンドノード、移動体装置）を示す。無線端末９００は、トーンサブセット割当てシーケンスを実施する。無線端末は、復号器９１２を含む受信機９０２、符号器９１４を含む送信機９０４、プロセッサ９０６、およびメモリ９０８を含み、これらは、バス９１０によって共に結合され、様々な要素９０２、９０４、９０６、９０８は、それを介してデータおよび情報を交換することができる。基地局８００（および／または異なる無線端末）から信号を受信するために使用されるアンテナ９０３は、受信機９０２に結合される。基地局８００（および／または異なる無線端末）などに信号を送信するために使用されるアンテナ９０５は、送信機９０４に結合される。
【００８８】
プロセッサ９０６（例えばＣＰＵ）は、無線端末９００の動作を制御し、ルーチン９２０を実行し、メモリ９０８内のデータ／情報９２２を使用することによって、方法を実施する。データ／情報９２２は、ユーザデータ９３４、ユーザ情報９３６、およびトーンサブセット割当てシーケンス情報９５０を含む。ユーザデータ９３４は、送信機９０４によって基地局８００に送信される前に符号化するために符号器９１４に転送されるピアノードのためのデータ、および受信機９０２内の復号器９１２によって処理された基地局８００から受信されたデータを含み得る。ユーザ情報９３６は、アップリンクチャネル情報９３８、ダウンリンクチャネル情報９４０、端末ＩＤ情報９４２、基地局ＩＤ情報９４４、セクタＩＤ情報９４６、およびモード情報９４８を含む。
【００８９】
アップリンクチャネル情報９３８は、無線端末９００が、基地局８００に送信するときに使用するために基地局８００によって割り当てられたアップリンクチャネルセグメントを識別する情報を含む。アップリンクチャネルは、アップリンクトラフィックチャネル、専用アップリンク制御チャネル（例えば、要求チャネル、電力制御チャネル、およびタイミング制御チャネル）を含み得る。各アップリンクチャネルは、１つまたは複数の論理トーンを含み、各論理トーンは、アップリンクトーンホッピングシーケンスの後にある。アップリンクホッピングシーケンスは、セルの各セクタタイプの間、および隣接するセルの間で異なる。ダウンリンクチャネル情報９４０は、ＢＳ８００がデータ／情報をＷＴ９００に送信しているときに使用するために、基地局８００によってＷＴ９００に割り当てられたダウンリンクチャネルセグメントを識別する情報を含む。ダウンリンクチャネルは、ダウンリンクトラフィックチャネルおよび割当てチャネルを含み、各ダウンリンクチャネルは、１つまたは複数の論理トーンを含み、各論理トーンは、ダウンリンクホッピングシーケンスの後にあり、これは、セルの各セクタの間で同期される。
【００９０】
また、ユーザ情報９３６は、識別が割り当てられた基地局８００である端末ＩＤ情報９４２、ＷＴが通信を確立した特定の８００を識別する基地局ＩＤ情報９４４、およびＷＴ９００が現在配置されているセルの特定のセクタを識別するセクタＩＤ情報９４６を含む。基地局ＩＤ９４４は、セルスロープ値を提供し、セクタＩＤ情報９４６は、セクタインデックスタイプを提供し、セルスロープ値およびセクタンデックスタイプは、トーンホッピングシーケンスを導出するために使用され得る。また、ユーザ情報９３６に含まれるモード情報９４８は、ＷＴ９００がスリープモードであるか、ホールドモードであるか、またはオンモードであるかを識別する。
【００９１】
トーンサブセット割当てシーケンス情報９５０は、ダウンリンクストリップシンボル時間情報９５２およびダウンリンクトーン情報９５４を含む。データリンクストリップシンボル時間情報９５２は、スーパースロット、ビーコンスロット、およびウルトラスロット構造情報などのフレーム同期構造情報、ならびに所与のシンボル期間がストリップシンボル期間であるかどうかを指定し、そうである場合、ストリップシンボル期間のインデックスを指定し、ストリップシンボルが基地局によって使用されるトーンサブセット割当てシーケンスを切り捨てるための再設定ポイントであるかどうかを指定する情報を含む。ダウンリンクトーン情報９５４は、基地局８００に割り当てられた搬送周波数、トーンの数および周波数、およびストリップシンボル期間に割り当てられるトーンサブセットの組を含む情報、ならびにスロープ、スロープインデックス、セクタタイプなど、他のセルおよびセクタ固有の値を含む。
【００９２】
ルーチン９２０は、通信ルーチン９２４、無線端末制御ルーチン９２６、情報訂正ルーチン９２８、および通知ルーチン９３０を含む。通信ルーチン９２４は、ＷＴ９００によって使用される様々な通信プロトコルを制御する。一例によって、通信ルーチン９２４は、（例えば、基地局８００から）ブロードキャスト信号を受信することができる。無線端末制御ルーチン９２６は、受信機９０２および送信機９０４の制御を含めて、基本的な無線端末９００の機能を制御する。
【００９３】
情報訂正ルーチン９２８は、アクセスポイントから受信された信号に含まれる情報の選択的な訂正を制御することができる。選択的な訂正は、アクセスポイントとの通信を識別し、確立するために、無線端末９００によって使用される情報に関連し得る。例えば、訂正は、電力オフセット、あるいは信号に含まれるべき、または変更されるべき他の情報に関連し得る。通知ルーチン９３０は、信号に含まれる情報の訂正の通知および／または訂正の検証を制御することができる。
【００９４】
図１０を参照すると、無線通信環境内において、ブロードキャスト情報の選択的な変更を可能にするシステム例１０００が示されている。例えば、システム１０００は、少なくとも部分的に移動体装置内に存在し得る。システム１０００は、プロセッサ、ソフトウェア、またはその組合せ（例えば、ファームウェア）によって実施される機能を表す機能ブロックであり得る機能ブロックを含むものとして表されていることを理解されたい。システム１０００は、個々に、かつ／または一緒に動作し得る電気部品の論理グループ１００２を含む。
【００９５】
論理グループ１００２は、信号で受信された誤った情報を識別するための電気部品１１０４を含み得る。信号は、アクセスポイントから受信することができ、それだけには限定されないが、アクセスポイント電力目標値、アクセスポイント送信電力、電力オフセットなどを含む様々な情報を含み得る。また、信号に含まれているのは、信号に含まれる情報の少なくとも一部分を検証する旨の要求とすることができる。
【００９６】
さらに、論理グループ１００２は、推奨される変更を決定するための電気部品１００６を備え得る。推奨される変更は、変更、追加、削除などを行うべきである信号内の情報に関連する変更とすることができる。例えば、論理モジュールは、電力オフセット値を割り出すことができる。電力オフセット値は、アクセスポイント送信電力など、信号に含まれる情報に一部分基づき得る。アクセスポイント送信電力は、受信電力と比較され、電力オフセット値と呼ばれ得る２つの電力の間の差が割り出されてもよい。
【００９７】
論理グループ１００２は、推奨される変更をフィードバック信号で送信するための電気部品１００８を含み得る。推奨される変更は、信号に含まれる（または更新される）べき電力オフセット値であり得る。一例として、フィードバック信号は、アクセスポイントに送信することができ、アクセスポイントは、信号内の情報を選択的に変更するために、情報を使用することができる。いくつかの態様によれば、検証（要求されている場合）の結果は、アクセスポイントに運ぶことができる。次の信号は、アクセスポイントから受信され、評価され得る。次の信号が正しいか、誤っているかの結果は、フィードバック通知でアクセスポイントに送信することができる。
【００９８】
さらに、システム１０００は、電気部品１００４、１００６、および１００８に関連付けられている機能を実行するための命令を保持するメモリ１０１０を含み得る。メモリ１０１０の外部にあるものとして示されているが、電気部品１００４、１００６、および１００８のうちの１つまたは複数は、メモリ１０１０内に存在していてもよいことを理解されたい。
【００９９】
図１１を参照すると、無線環境において初期アクセス位相の長さを軽減することができるシステム１１００が示されている。例えば、システム１１００は、少なくとも部分的に基地局内に存在し得る。システム１１００は、プロセッサ、ソフトウェア、またはその組合せ（例えば、ファームウェア）によって実施される機能を表す機能ブロックであり得る機能ブロックを含むものとして表されていることを理解されたい。システム１１００は、独立して、かつ／または一緒に動作し得る電気部品の論理グループ１１０２を含む。例えば、論理グループ１１０２は、ブロードキャスト信号に含めるべき情報を識別するための電気部品１１０４を含み得る。ブロードキャスト情報は、複数の装置に送信することができ、システム１１００に関連する様々な情報を含んでいてもよく、またシステム１１００を識別し、それにアクセスする（例えば、初期アクセス位相）ために、様々な装置が受信し、依拠することができる情報を含み得る。また、ブロードキャスト情報は、装置のうちの１つまたは複数が、応答し、かつ／またはブロードキャスト信号に含まれる情報の正確さを検証するための要求も含み得る。
【０１００】
さらに、論理グループ１１０２は、装置のうちの１つまたは複数から応答信号を受信するための電気部品１１０６も備え得る。応答信号は、ブロードキャスト信号に応答することができる。例えば、様々な装置のうちの１つまたは複数は、その情報が誤っていると装置が判定した場合、更新された情報および／またはブロードキャスト信号内の情報の１つまたは複数の部分を変更する旨の推奨を自動的に提供することができる。いくつかの態様によれば、情報が正しい場合、１つまたは複数の装置は、その情報が正確であることを示すよう応答することができる。さらに、および／または代わりに、１つまたは複数の装置は、ブロードキャスト信号に含まれるこうした情報の要求がある場合、推奨または他のフィードバックを提供するだけでよい。
【０１０１】
さらに、論理グループ１１０２は、ブロードキャスト信号に含まれる情報の少なくとも一部を変更するための電気部品１１０８を含み得る。変更は、１つまたは複数の応答信号、または他の基準に基づき得る。一例として、情報の少なくとも一部分の変更は、１つまたは複数の受信された応答信号の様々な特性、および／または推奨を提供する装置の特性を考慮に入れることによって、最適化することができる。例えば、複数の応答信号が受信された場合、その信号の平均または集約を使用して、情報を変更することができる。１つまたは複数の装置によって提供された情報（例えば、応答信号）の正確さの信頼度は、ブロードキャスト信号内の情報を変更すべきであるかどうかを判定するために分析することができる。変更された情報は、電力または他の情報に関連し、訂正された情報は、システム１１００を識別し、その後の装置がそれにアクセスするためにかかる時間量を軽減することができる。近隣内の装置が変更された情報の正確さを検証するための要求は、その後のブロードキャスト信号で送信することができる。
【０１０２】
本明細書に記載の態様は、ハードウェア、ソフトウェア、ファームウェア、ミドルウェア、マイクロコード、またはその任意の組合せで実施することができることを理解されたい。ハードウェア実装の場合、処理装置は、１つまたは複数の特定用途向け集積回路（ＡＳＣＩ）、ディジタル信号プロセッサ（ＤＳＰ）、ディジタル信号処理装置（ＤＳＰＤ）、プログラム可能論理装置（ＰＬＤ）、フィールドプログラマブルゲートアレイ（ＦＰＧＡ）、プロセッサ、コントローラ、マイクロコントローラ、マイクロプロセッサ、本明細書に記載された機能を実行するように設計されている他の電子装置、またはその組合せ内に実装され得る。
【０１０３】
態様がソフトウェア、ファームウェア、ミドルウェア、またはマイクロコード、プログラムコード、またはコードセグメントで実施されるとき、これらは、記憶構成要素などの機械可読媒体に格納され得る。コードセグメントは、手順、関数、サブプログラム、プログラム、ルーチン、サブルーチン、モジュール、ソフトウェアパッケージ、クラス、あるいは命令、データ構造、またはプログラムステートメントの任意の組合せを表し得る。コードセグメントは、情報、データ、引数、パラメータ、またはメモリコンテンツを渡し、かつ／または受信することによって、別のコードセグメントまたはハードウェア回路に結合され得る。メモリ共有、メッセージパッシング、トークンパッシング、ネットワーク送信など、任意の適した手段を使用して、情報、引数、パラメータ、データなどを渡し、転送し、または送信することができる。
【０１０４】
ソフトウェア実装の場合、本明細書に記載されている技術は、本明細書に記載されている機能を実行するモジュール（手順、関数など）により実装され得る。ソフトウェアコードは、記憶装置に格納され、プロセッサによって実行され得る。記憶装置は、プロセッサの内部に実装されても、あるいは外部に実装されてもよく、この場合、これは、当業者に知られている様々な手段を介してプロセッサに通信可能に結合され得る。
【０１０５】
上記で説明してきたことは、１つまたは複数の態様の例を含む。当然、上述した態様を説明するために構成要素または方法の予想されるすべての組合せについて説明することは不可能であるが、様々な態様の他の多くの組合せおよび置換えが可能であることを当業者であれば理解できよう。したがって、記載した態様は、添付の特許請求の範囲の意図および範囲に含まれるすべての代替形態、変更形態、および変形形態を含むものとする。さらに、「含む」という用語が詳細な説明または特許請求の範囲で使用されている限り、こうした用語は、請求項で移行語として使用されるときに「備える」が解釈される「備える」という用語と同じように包含的であるものとする。さらに、「または」という用語が特許請求の範囲の詳細な説明のいずれかに使用されている場合、「包括的なまたは」となるように意図されている。
【図１】
2010532646.tif 000012
【図２】
2010532646.tif 000013
【図３】
2010532646.tif 000014
【図４】
2010532646.tif 000015
【図５】
2010532646.tif 000016
【図６】
2010532646.tif 000017
【図７】
2010532646.tif 000018
【図８】
2010532646.tif 000019
【図９】
2010532646.tif 000020
【図１０】
2010532646.tif 000021
【図１１】
2010532646.tif 000022
【国際調査報告】
2010532646.tif 000023
2010532646.tif 000024
2010532646.tif 000025